(57)【要約】【課題】機密情報の取り扱い性に優れた表示装置を提供する。【解決手段】本発明の表示装置は、文書データを記憶する記憶部と、電気泳動方式により、記憶部に記憶されている文書データに基づく画像を表示する表示部と、記憶部に記憶されている文書データに所定の情報が含まれているか否かを判断する判断部と、判断部により情報が含まれていると判断される場合、文書データに基づく画像の全部または一部を表示部に残像として表示させる表示制御部と、を有する。【選択図】図６
2014157294.tif 000002
【特許請求の範囲】
【請求項１】
文書データを記憶する記憶部と、
電気泳動方式により、前記記憶部に記憶されている文書データに基づく画像を表示する表示部と、
前記記憶部に記憶されている文書データに所定の情報が含まれているか否かを判断する判断部と、
前記判断部により前記情報が含まれていると判断される場合、前記文書データに基づく画像の全部または一部を前記表示部に残像として表示させる表示制御部と、
を有することを特徴とする表示装置。
【請求項２】
前記表示制御部は、前記表示部に前記画像を白黒表示させた後、前記画像の黒色表示部分を白色表示に変更する制御を行うことにより、前記画像の全部または一部を前記表示部に残像として表示させることを特徴とする請求項１に記載の表示装置。
【請求項３】
前記残像として表示される画像を消去する旨の指示を受け付ける受付部をさらに有し、
前記受付部により前記指示が受け付けられた場合、前記表示制御部は、前記表示部の画面全体を黒色表示に変更した後、当該画面全体を白色表示に変更する制御を行うことを特徴とする請求項２に記載の表示装置。
【請求項４】
前記表示制御部は、所定のサイズ以上の文字を選択的に残像として表示させることを特徴とする請求項１〜３のいずれか１項に記載の表示装置。
【請求項５】
前記表示制御部は、写真オブジェクトおよび図形オブジェクトを選択的に残像として表示させることを特徴とする請求項１〜４のいずれか１項に記載の表示装置。
【請求項６】
前記表示制御部は、会社名および会社ロゴマークを選択的に残像として表示させることを特徴とする請求項１〜５のいずれか１項に記載の表示装置。
【請求項７】
前記判断部は、前記文書データに所定の文字列が含まれているか否かを判断し、
前記判断部により前記文字列が含まれていると判断される場合、前記表示制御部は、前記画像の全部または一部を残像として表示させることを特徴とする請求項１〜６のいずれか１項に記載の表示装置。
【請求項８】
前記判断部は、前記文書データに所定のコードが含まれているか否かを判断し、
前記判断部により前記コードが含まれていると判断される場合、前記表示制御部は、前記画像の全部または一部を残像として表示させることを特徴とする請求項１〜７のいずれか１項に記載の表示装置。
【請求項９】
文書データを記憶する記憶部と、電気泳動方式により、前記記憶部に記憶されている文書データに基づく画像を表示する表示部と、を有する表示装置の制御プログラムであって、
前記記憶部に記憶されている文書データに所定の情報が含まれているか否かを判断する手順（ａ）と、
前記手順（ａ）において前記情報が含まれていると判断される場合、前記文書データに基づく画像の全部または一部を前記表示部に残像として表示させる手順（ｂ）と、
を前記表示装置に実行させることを特徴とする制御プログラム。
【請求項１０】
前記手順（ｂ）において、前記表示部に前記画像を白黒表示させた後、前記画像の黒色表示部分を白色表示に変更する制御が行われることにより、前記画像の全部または一部が前記表示部に残像として表示されることを特徴とする請求項９に記載の制御プログラム。
【請求項１１】
前記残像として表示される画像を消去する旨の指示を受け付ける手順（ｃ）と、
前記手順（ｃ）において前記指示が受け付けられた場合、前記表示部の画面全体を黒色表示に変更した後、当該画面全体を白色表示に変更する制御を行う手順（ｄ）と、をさらに前記表示装置に実行させることを特徴とする請求項１０に記載の制御プログラム。
【請求項１２】
前記手順（ｂ）において、所定のサイズ以上の文字が選択的に残像として表示されることを特徴とする請求項９〜１１のいずれか１項に記載の制御プログラム。
【請求項１３】
前記手順（ｂ）において、写真オブジェクトおよび図形オブジェクトが選択的に残像として表示されることを特徴とする請求項９〜１２のいずれか１項に記載の制御プログラム。
【請求項１４】
前記手順（ｂ）において、会社名および会社ロゴマークが選択的に残像として表示されることを特徴とする請求項９〜１３のいずれか１項に記載の制御プログラム。
【請求項１５】
前記手順（ａ）において、前記文書データに所定の文字列が含まれているか否かが判断され、
前記手順（ａ）において前記文字列が含まれていると判断される場合、前記手順（ｂ）において、前記画像の全部または一部が残像として表示されることを特徴とする請求項９〜１４のいずれか１項に記載の制御プログラム。
【請求項１６】
前記手順（ａ）において、前記文書データに所定のコードが含まれているか否かが判断され、
前記手順（ａ）において前記コードが含まれていると判断される場合、前記手順（ｂ）において、前記画像の全部または一部が残像として表示されることを特徴とする請求項９〜１５のいずれか１項に記載の制御プログラム。
【請求項１７】
請求項９〜１６のいずれか１項に記載の制御プログラムを記録したコンピューター読み取り可能な記録媒体。
【発明の詳細な説明】
【技術分野】
【０００１】
本発明は、電気泳動方式の表示装置および表示装置の制御プログラムに関する。
【背景技術】
【０００２】
近年、紙に代わる表示媒体として電子ペーパー端末（電子ブック）の開発が進められている。電子ペーパー端末は、薄型軽量で携帯性に優れており、ユーザーは、電子ペーパー端末に種々のデータを記憶させて持ち運ぶことができる。電子ペーパー端末による表示方式としては、マイクロカプセル中に格納された白・黒の荷電粒子を電界によって移動させることにより、白／黒の表示を切り換える電気泳動方式が一般的である。
【０００３】
ところで、外出先において、ユーザーが、電子ペーパー端末に情報を表示させる場合、電子ペーパー端末に表示される情報は、ユーザー以外の周りの人間からも見られ得る。とりわけ、電子ペーパー端末に表示される情報が機密情報である場合、当該情報を周りの人間に見られれば、機密情報が漏洩してしまうおそれがあり、好ましくない。
【０００４】
この問題を解決するために、下記の特許文献１には、電子ペーパー端末に機密画像データが格納されている場合、機密画像を非表示にする技術が提案されている。この技術によれば、機密画像を周りの人間に見られることがなく、機密情報の漏洩が防止される。
【０００５】
しかしながら、この技術では、電子ペーパー端末のユーザー自身も機密情報を見ることができず、不便である。機密情報は、周りの人間からはほとんど見えず、ユーザーからは見えるように表示されることが望ましい。
【０００６】
加えて、電子ペーパー端末に機密情報が表示されている状況において、当該情報を他人に見られそうな場合には、表示されている機密情報を素早く消去して、当該情報が見られることを防止することができることが望ましい。
【先行技術文献】
【特許文献】
【０００７】
【特許文献１】特開２００９−１５７０３６号公報
【発明の概要】
【発明が解決しようとする課題】
【０００８】
本発明は、上述した課題に鑑みてなされたものである。したがって、本発明の目的は、ユーザー以外の周りの人間からはほとんど見えないように機密情報を表示する機能や、表示している機密情報を短時間で消去する機能を備え、機密情報の取り扱い性に優れた表示装置および表示装置の制御プログラムを提供することである。
【課題を解決するための手段】
【０００９】
本発明の上記目的は、下記の手段によって達成される。
【００１０】
（１）文書データを記憶する記憶部と、電気泳動方式により、前記記憶部に記憶されている文書データに基づく画像を表示する表示部と、前記記憶部に記憶されている文書データに所定の情報が含まれているか否かを判断する判断部と、前記判断部により前記情報が含まれていると判断される場合、前記文書データに基づく画像の全部または一部を前記表示部に残像として表示させる表示制御部と、を有することを特徴とする表示装置。
【００１１】
（２）前記表示制御部は、前記表示部に前記画像を白黒表示させた後、前記画像の黒色表示部分を白色表示に変更する制御を行うことにより、前記画像の全部または一部を前記表示部に残像として表示させることを特徴とする上記（１）に記載の表示装置。
【００１２】
（３）前記残像として表示される画像を消去する旨の指示を受け付ける受付部をさらに有し、前記受付部により前記指示が受け付けられた場合、前記表示制御部は、前記表示部の画面全体を黒色表示に変更した後、当該画面全体を白色表示に変更する制御を行うことを特徴とする上記（２）に記載の表示装置。
【００１３】
（４）前記表示制御部は、所定のサイズ以上の文字を選択的に残像として表示させることを特徴とする上記（１）〜（３）のいずれか１つに記載の表示装置。
【００１４】
（５）前記表示制御部は、写真オブジェクトおよび図形オブジェクトを選択的に残像として表示させることを特徴とする上記（１）〜（４）のいずれか１つに記載の表示装置。
【００１５】
（６）前記表示制御部は、会社名および会社ロゴマークを選択的に残像として表示させることを特徴とする上記（１）〜（５）のいずれか１つに記載の表示装置。
【００１６】
（７）前記判断部は、前記文書データに所定の文字列が含まれているか否かを判断し、前記判断部により前記文字列が含まれていると判断される場合、前記表示制御部は、前記画像の全部または一部を残像として表示させることを特徴とする上記（１）〜（６）のいずれか１つに記載の表示装置。
【００１７】
（８）前記判断部は、前記文書データに所定のコードが含まれているか否かを判断し、前記判断部により前記コードが含まれていると判断される場合、前記表示制御部は、前記画像の全部または一部を残像として表示させることを特徴とする上記（１）〜（７）のいずれか１つに記載の表示装置。
【００１８】
（９）文書データを記憶する記憶部と、電気泳動方式により、前記記憶部に記憶されている文書データに基づく画像を表示する表示部と、を有する表示装置の制御プログラムであって、前記記憶部に記憶されている文書データに所定の情報が含まれているか否かを判断する手順（ａ）と、前記手順（ａ）において前記情報が含まれていると判断される場合、前記文書データに基づく画像の全部または一部を前記表示部に残像として表示させる手順（ｂ）と、を前記表示装置に実行させることを特徴とする制御プログラム。
【００１９】
（１０）前記手順（ｂ）において、前記表示部に前記画像を白黒表示させた後、前記画像の黒色表示部分を白色表示に変更する制御が行われることにより、前記画像の全部または一部が前記表示部に残像として表示されることを特徴とする上記（９）に記載の制御プログラム。
【００２０】
（１１）前記残像として表示される画像を消去する旨の指示を受け付ける手順（ｃ）と、前記手順（ｃ）において前記指示が受け付けられた場合、前記表示部の画面全体を黒色表示に変更した後、当該画面全体を白色表示に変更する制御を行う手順（ｄ）と、をさらに前記表示装置に実行させることを特徴とする上記（１０）に記載の制御プログラム。
【００２１】
（１２）前記手順（ｂ）において、所定のサイズ以上の文字が選択的に残像として表示されることを特徴とする上記（９）〜（１１）のいずれか１つに記載の制御プログラム。
【００２２】
（１３）前記手順（ｂ）において、写真オブジェクトおよび図形オブジェクトが選択的に残像として表示されることを特徴とする上記（９）〜（１２）のいずれか１つに記載の制御プログラム。
【００２３】
（１４）前記手順（ｂ）において、会社名および会社ロゴマークが選択的に残像として表示されることを特徴とする上記（９）〜（１３）のいずれか１つに記載の制御プログラム。
【００２４】
（１５）前記手順（ａ）において、前記文書データに所定の文字列が含まれているか否かが判断され、前記手順（ａ）において前記文字列が含まれていると判断される場合、前記手順（ｂ）において、前記画像の全部または一部が残像として表示されることを特徴とする上記（９）〜（１４）のいずれか１つに記載の制御プログラム。
【００２５】
（１６）前記手順（ａ）において、前記文書データに所定のコードが含まれているか否かが判断され、前記手順（ａ）において前記コードが含まれていると判断される場合、前記手順（ｂ）において、前記画像の全部または一部が残像として表示されることを特徴とする上記（９）〜（１５）のいずれか１つに記載の制御プログラム。
【００２６】
（１７）上記（９）〜（１６）のいずれか１つに記載の制御プログラムを記録したコンピューター読み取り可能な記録媒体。
【発明の効果】
【００２７】
本発明によれば、画像が残像として薄く表示されるため、ユーザーは、画像を見ようとすれば見ることができる一方で、周りの人間は画像をほとんど見ることができない。また、電気泳動方式の表示装置において表示画面をリフレッシュする過程で現れる残像を利用することにより、残像として表示される画像を短時間で消去することができる。つまり、機密情報の取り扱い性に優れた表示装置および表示装置の制御プログラムが提供される。
【図面の簡単な説明】
【００２８】
【図１】本発明の一実施形態に係る電子ペーパー端末が適用される情報閲覧システムの全体構成を示す図である。
【図２】電子ペーパー端末の外観を示す概略図である。
【図３】電子ペーパー端末の概略構成を示すブロック図である。
【図４】電子ペーパー端末のメモリの記憶内容を示す図である。
【図５】電子ペーパー端末の表示部の主要部の構造を示す断面図である。
【図６】電子ペーパー端末により実行される表示制御処理の手順を示すフローチャートである。
【図７】図７（Ａ）は、表示部に通常表示される画像の一例を示す図であり、図７（Ｂ）は、表示部に残像表示される画像の一例を示す図である。
【図８】表示制御処理の変形例１を示す図である。
【図９】表示制御処理の変形例２を示す図である。
【図１０】表示制御処理の変形例３を示す図である。
【発明を実施するための形態】
【００２９】
以下、図面を参照して、本発明の実施形態を詳細に説明する。
【００３０】
図１は、本発明の一実施形態に係る電子ペーパー端末１が適用される情報閲覧システムの全体構成を示す図である。情報閲覧システムは、電子ペーパー端末１と、ＰＣ（Ｐｅｒｓｏｎａｌ  Ｃｏｍｐｕｔｅｒ）２とを備えている。電子ペーパー端末１とＰＣ２とは、有線／無線ＬＡＮ（Ｌｏｃａｌ  Ａｒｅａ  Ｎｅｔｗｏｒｋ）等のネットワーク３を介して相互に通信可能に接続されている。なお、電子ペーパー端末１とＰＣ２とは、ネットワーク３を介することなく直接機器間で接続されていてもよい。
【００３１】
ＰＣ２には、文書ファイルを作成するためのアプリケーションおよび文書ファイルを画像データに変換するためのプリンタードライバーがインストールされている。ＰＣ２は、プリンタードライバーの機能により、ＴＩＦＦ（Ｔａｇｇｅｄ  Ｉｍａｇｅ  Ｆｉｌｅ  Ｆｏｒｍａｔ）やＢＭＰ（Ｂｉｔｍａｐ）形式の画像データに文書ファイルを変換して、電子ペーパー端末１に送信する。電子ペーパー端末１は、ＰＣ２から受信した画像データに基づく画像を表示する。
【００３２】
図２は、電子ペーパー端末１の外観を示す概略図であり、図３は、電子ペーパー端末１の概略構成を示すブロック図である。図２および図３に示すとおり、表示装置としての電子ペーパー端末１は、ＣＰＵ（Ｃｅｎｔｒａｌ  Ｐｒｏｃｅｓｓｉｎｇ  Ｕｎｉｔ）１１、メモリ１２、表示部１３、操作部１４、電源部１５、および通信部１６を備えており、これらは信号をやり取りするためのバス１７を介して相互に接続されている。
【００３３】
ＣＰＵ１１は、プログラムにしたがって、上記各部の制御や各種の演算処理を行う。メモリ１２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、電気的に書き換え可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等からなる。
【００３４】
表示部１３は、電気泳動方式のディスプレイであり、各種の情報を表示する。表示部１３は、電力を消費することなく表示領域（表示画面）に画像を保持することが可能であり、画像の更新時のみ電力を消費する。
【００３５】
操作部１４は、電気泳動方式のディスプレイに実装されたタッチパネル、ボタン、およびスイッチにより構成され、各種の入力を行うために使用される。操作部１４は、表示部１３に表示されるページを切り替えるためのページめくりボタン１４ａ、および、表示部１３をリフレッシュ（全画面更新）するためのリフレッシュボタン１４ｂを含む。リフレッシュボタン１４ｂは、表示部１３に表示されている画像を消去する旨の指示を受け付ける受付部として機能する。
【００３６】
電源部１５は、リチウムイオン電池等の充放電可能な二次電池を含み、電子ペーパー端末１の上記各部に電力を供給する。通信部１６は、ネットワーク３を介し他の機器と通信するためのインターフェースであり、イーサネット（登録商標）、ＦＤＤＩ（Ｆｉｂｅｒ−Ｄｉｓｔｒｉｂｕｔｅｄ  Ｄａｔａ  Ｉｎｔｅｒｆａｃｅ）、Ｗｉ−Ｆｉ（Ｗｉｒｅｌｅｓｓ  Ｆｉｄｅｌｉｔｙ）等の規格が用いられる。
【００３７】
図４は、電子ペーパー端末１のメモリ１２の記憶内容を示す図である。メモリ１２には、データを記憶するデータ記憶部１２ａおよびプログラムを記憶するプログラム記憶部１２ｂに対応する領域がそれぞれ割り当てられている。
【００３８】
データ記憶部１２ａには、ＰＣ２から受信した画像データが記憶される。プログラム記憶部１２ｂには、システム制御部１２１、表示処理部１２２、および電源状態監視部１２３に対応するプログラムが格納されている。
【００３９】
電子ペーパー端末１のＣＰＵ１１は、メモリ１２に記憶されているプログラムを実行することにより、システム制御部１２１、表示処理部１２２、および電源状態監視部１２３として機能する。システム制御部１２１は、メモリ１２に対する画像データの格納／読み出し、表示部１３への画像データに基づく画像の表示等の電子ペーパー端末１の全体的な制御を行う。表示処理部１２２は、システム制御部１２１の指令にしたがって、表示部１３に画像を表示する制御を行う。電源状態監視部１２３は、電源部１５の状態を監視して供給可能な電力量を検知し、その情報をシステム制御部１２１に通知する。なお、システム制御部１２１は、画像データに所定の情報が含まれているか否かを判断する判断部としての機能を有する。また、システム制御部１２１および表示処理部１２２は、画像データに基づく画像を表示部１３に残像表示させる表示制御部としての機能を有する。
【００４０】
図５は、電子ペーパー端末１の表示部１３の主要部の構造を示す断面図である。図５に示すとおり、表示部１３は、負電荷を帯びた黒色顔料２１および正電荷を帯びた白色顔料２２がオイル等の透明分散媒とともに封入されたマイクロカプセル２０による電気泳動方式の表示技術を採用している。図中の他の構成要素について以下に説明する。
【００４１】
表面層２３は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な導電膜からなる透明電極２４が配置されている。また、支持層２５はポリイミドフィルム等の絶縁性を有する材料からなる背面基板であり、その前面側には個々のマイクロカプセル２０に対応する微小な金属板からなる背面電極（セグメント電極）２６が配置されている。
【００４２】
そして、個々の背面電極２６と透明電極２４との間にはマイクロカプセル２０が配置されており、個々のマイクロカプセル２０は接着層２７を介して個々の背面電極２６と接合されている。このように２枚の電極２４，２６を介して前面基板（表面層２３）と背面基板（支持層２５）との間の空間に２次元的に配置された無数のマイクロカプセル２０が表示部１３の表示領域を形成している。
【００４３】
このように配置されたマイクロカプセル２０による表示原理は次の通りである。一のマイクロカプセル２０に対応する背面電極２６に正電位が与えられると、負電荷を帯びた黒色顔料２１が背面電極２６側に移動するとともに正電荷を帯びた白色顔料２２が透明電極２４側に移動するので、マイクロカプセル２０は表示領域の前面側から見て白色を表示することになる。
【００４４】
同様に、一のマイクロカプセル２０に対応する背面電極２６に負電位が与えられると、正電荷を帯びた白色顔料２２が背面電極２６側に移動するとともに負電荷を帯びた黒色顔料２１が透明電極２４側に移動するので、マイクロカプセル２０は表示領域の前面側から見て黒色を表示することになる。
【００４５】
なお、電子ペーパー端末１は、上述した構成要素以外の構成要素を含んでいてもよく、あるいは、上述した構成要素のうちの一部が含まれていなくてもよい。
【００４６】
以上のとおり構成される電子ペーパー端末１では、メモリ１２に記憶される画像データに基づく画像が表示部１３に表示される。このとき、画像データに所定の情報が含まれているか否かが判断され、画像データに所定の情報が含まれていれば、画像の全部または一部が表示部１３に残像表示される。以下、図６および図７を参照して、電子ペーパー端末１の動作について説明する。
【００４７】
図６は、電子ペーパー端末１により実行される表示制御処理の手順を示すフローチャートである。なお、図６のフローチャートにより示されるアルゴリズムは、電子ペーパー端末１のメモリ１２にプログラムとして記憶されており、ＣＰＵ１１によって実行される。
【００４８】
まず、電子ペーパー端末１は、表示対象ページに機密情報が含まれているか否かを判断する（ステップＳ１０１）。たとえば、ＰＣ２から電子ペーパー端末１に送信された画像データ中に機密文書であることを示すコードや文字列（「Ｃｏｎｆｉｄｅｎｔｉａｌ」や「機密」等）が含まれている場合、電子ペーパー端末１は、表示対象ページに機密情報が含まれていると判断する。
【００４９】
表示対象ページに機密情報が含まれていないと判断する場合（ステップＳ１０１：ＮＯ）、電子ペーパー端末１は、対象ページを通常表示し（ステップＳ１０２）、処理を終了する。より具体的には、電子ペーパー端末１は、画像データに基づく画像を通常の表示手順により表示部１３に表示させ、処理を終了する。
【００５０】
一方、ステップＳ１０１に示す処理において、表示対象ページに機密情報が含まれていると判断する場合（ステップＳ１０１：ＹＥＳ）、電子ペーパー端末１は、対象ページを残像表示し（ステップＳ１０３）、処理を終了する。より具体的には、電子ペーパー端末１は、画像データに基づく画像を通常の表示手順により表示部１３に通常表示させた後、画像の黒色表示部分を白色表示に変更する制御を行うことにより、表示部１３に画像を残像表示させ、処理を終了する。
【００５１】
以上のとおり、図６に示されるフローチャートの処理によれば、表示対象ページに機密情報が含まれているか否かが判断され、表示対象ページに機密情報が含まれていると判断される場合、当該ページの画像が表示部１３に残像表示される。
【００５２】
図７は、電子ペーパー端末１の表示制御処理の効果を示す図である。図７（Ａ）は、表示部１３に通常表示される画像の一例を示す図であり、図７（Ｂ）は、表示部１３に残像表示される画像の一例を示す図である。
【００５３】
図７（Ａ）に示すとおり、表示部１３に画像が通常表示される場合、白黒表示される画像５１ａは、ユーザーのみならず、周りの人間からも見られ得る。
【００５４】
一方、図７（Ｂ）に示すとおり、表示部１３に画像が残像表示される場合、画像５１ｂは、ユーザーがよく見れば見える程度の薄さであるため、ユーザーは画像５１ｂを見ることができる一方で、周りの人間は画像５１ｂをほとんど見ることができない。このような構成によれば、ユーザーは電子ペーパー端末１で機密情報を見ることができつつも、周りの人間は機密情報をほとんど見ることができず、機密情報の漏洩が防止される。
【００５５】
次に、電子ペーパー端末１の表示動作についてより詳細に説明する。
【００５６】
上述したとおり、表示部１３に画像を残像表示する場合、電子ペーパー端末１は、まず、残像表示すべき画像を表示部１３に通常表示し、その後、白黒表示される画像の黒色表示部分を白色表示に変更する制御を行う。画像の黒色表示部分を白色表示に変更する制御が行われれば、最初から白色であった部分と、黒色から白色に変更された部分との間に電位差が生じ、画像が残像表示される。
【００５７】
したがって、電子ペーパー端末１の表示部１３に機密情報を含む画像を残像表示する場合、当該機密情報を含む画像が、表示部１３に一時的に通常表示される。しかしながら、表示部１３に画像が通常表示される時間は極めて短いため（たとえば、約０．４秒）、周りの人間が画像の内容を理解することはできない。
【００５８】
次に、電子ペーパー端末１のリフレッシュ動作について説明する。
【００５９】
まず、表示部１３に通常表示されている画像を消去する一般的なリフレッシュ動作について説明する。一般的なリフレッシュ動作では、電子ペーパー端末１は、まず、画像が通常表示されている表示部１３の画面全体を白色表示に変更する（Ｓ１）。続いて、電子ペーパー端末１は、白色表示される画面全体を黒色表示に変更し（Ｓ２）、その後、黒色表示される画面全体を白色表示に変更する（Ｓ３）。このような更新動作Ｓ１〜Ｓ３を連続的に行うことにより、表示部１３に通常表示されていた元の画像が綺麗に消去され、表示部１３に次の画像を表示することが可能になる。なお、更新動作Ｓ１のみでは、元の画像は綺麗に消去されず、表示部１３に元の画像が残像として残る。
【００６０】
本実施形態の電子ペーパー端末１では、上記の更新動作Ｓ１の後に残像が現れるという電気泳動方式の表示装置の特性を利用して、画像を残像表示する。つまり、本実施形態の電子ペーパー端末１は、残像表示すべき画像を表示部１３に通常表示した後、上記の更新動作Ｓ１を行うことにより、表示部１３に画像を残像表示する。
【００６１】
したがって、表示部１３に残像表示されている画像を消去する場合、ユーザーによりリフレッシュボタン１４ｂが押下されれば、電子ペーパー端末１は、上記の更新動作Ｓ１を行うことなく、更新動作Ｓ２および更新動作Ｓ３のみを行う。このため、表示部１３に残像表示されている画像を消去する時間は、通常表示されている画像を消去する時間よりも短くなる。たとえば、通常表示されている画像を消去する上記の更新動作Ｓ１〜Ｓ３に約１．２秒の時間を要し、各更新動作に約０．４秒の時間を要する場合、残像表示されている画像を消去するのに必要とされる時間は約０．８秒であり、約０．４秒短くなる。このような構成によれば、残像表示されている画像を素早く消去することができ、残像表示されている画像が他人に見られることを防止することができる。
【００６２】
以上のとおり、本実施形態の電子ペーパー端末１によれば、機密情報を含む画像が残像表示されるため、ユーザーは、機密情報を見ようとすれば見ることができる一方で、周りの人間は機密情報をほとんど見ることができない。また、表示部１３に残像表示されている画像を短時間で消去することができるため、電子ペーパー端末１で機密情報を見ているユーザーの背後に突然他人が現れたとしても、機密情報を素早く消去して、他人に機密情報が見られることを防止することができる。つまり、機密情報の取り扱い性に優れた電子ペーパー端末１が提供される。
【００６３】
なお、電気泳動方式の表示装置の他のリフレッシュ動作としては、元の画像が通常表示されている状態から、画面全体を黒色表示に変更し、続いて、画面全体を白色表示に変更し、次の画像を表示する動作や、元の画像が通常表示されている状態から、次の画像の反転画像を表示し、次の画像を表示する動作が知られている。しかしながら、これらのリフレッシュ動作は、ほとんど利用されていない。
【００６４】
（変形例１）
上述した実施形態では、表示対象ページに所定のコードや文字列が含まれている場合、表示部にページ全体が残像表示された。しかしながら、ページの一部のみが選択的に残像表示されてもよい。
【００６５】
図８は、表示制御処理の変形例１を示す図である。本変形例では、所定のサイズ以上の大きさの文字が選択的に残像表示される。
【００６６】
より具体的には、図８に示すとおり、本変形例に係る電子ペーパー端末１では、画像データに含まれる文字のサイズ情報が参照され、所定の閾値以上のポイント数の文字５２ａが表示部１３に残像表示される一方で、閾値未満のポイント数の文字５２ｂが通常表示される。
【００６７】
このような構成によれば、小さい文字が残像表示により見えなくなることが防止される。また、小さい文字の残像表示を希望しないユーザーに対応することができる。
【００６８】
（変形例２）
図９は、表示制御処理の変形例２を示す図である。本変形例では、画像オブジェクトおよび写真オブジェクトが選択的に残像表示される。
【００６９】
より具体的には、図９に示すとおり、本変形例に係る電子ペーパー端末１では、画像データに含まれるオブジェクトの属性情報が参照され、画像オブジェクト５３ａが表示部１３に残像表示される一方で、文字オブジェクト５３ｂが通常表示される。
【００７０】
このような構成によれば、図（絵）や写真を他人に見られることを希望せず、かつ、文字を普通に読むことを希望するユーザーに対応することができる。
【００７１】
（変形例３）
図１０は、表示制御処理の変形例３を示す図である。本変形例では、会社名や会社ロゴマークが選択的に残像表示される。
【００７２】
より具体的には、図１０に示すとおり、本変形例に係る電子ペーパー端末１では、画像データに含まれる文字列やオブジェクトの内容が参照され、会社名５４ａが表示部１３に残像表示される一方で、会社名５４ａ以外の文字列５４ｂが通常表示される。
【００７３】
このような構成によれば、社外において電子ペーパー端末１を使用する際に、会社名を他人に知られることを希望しないユーザーに対応することができる。
【００７４】
なお、上記の変形例１〜３は相互に組み合わされてもよい。たとえば、所定のサイズ以上の文字と会社ロゴマークとが表示部１３に選択的に残像表示される。
【００７５】
変形例に係る電子ペーパー端末１は、画像データに所定のコードや文字列が含まれていると判断する場合、所定のサイズ以上の文字列、画像オブジェクトもしくは写真オブジェクト、または会社名もしくは会社ロゴマークを表示部１３に選択的に残像表示する。
【００７６】
しかしながら、電子ペーパー端末１は、画像データに文字のポイント数が閾値以上であることを示す情報が含まれているか否かを判断し、ポイント数が閾値以上であることを示す情報が含まれていると判断する場合、閾値以上のポイント数の文字を選択的に残像表示してもよい。あるいは、電子ペーパー端末１は、画像データに画像オブジェクトまたは写真オブジェクトが含まれているか否かを判断し、画像オブジェクトまたは写真オブジェクトが含まれていると判断する場合、画像オブジェクトまたは写真オブジェクトを選択的に残像表示してもよい。あるいは、電子ペーパー端末１は、画像データに会社名を示す文字列や会社ロゴマークを示すオブジェクトが含まれているか否かを判断し、会社名を示す文字列や会社ロゴマークを示すオブジェクトが含まれていると判断する場合、会社名や会社ロゴマークを選択的に残像表示してもよい。
【００７７】
なお、電子ペーパー端末１の表示部１３に残像が現れる理由としては、以下の（１）〜（３）が知られている。
【００７８】
（１）表示された画像を構成する画素のみを部分駆動して、その画像を消去する工程が行われるとき、書き換え対象である一部の画素と背景である画素との間に斜め方向の電界が生じ、画像の輪郭に沿って残像が生じる。
【００７９】
（２）駆動電圧が繰り返し印加されれば、各画素電極に電荷が蓄積され、この蓄積された電荷が残像に起因する。
【００８０】
（３）荷電粒子の周りに荷電粒子の極性とは逆の極性を有するイオンが集まり、電気二重層が形成され、電気二重層により荷電粒子の電荷が打ち消されてしまい、電界に対する泳動速度が低下する。また、電気二重層の形成された荷電粒子が集合して、電気二重層の塊状態を形成し、電界が印加されても荷電粒子が動きにくくなる。
【００８１】
本発明は、上述した実施形態のみに限定されるものではなく、特許請求の範囲内において、種々改変することができる。
【００８２】
たとえば、上述した実施形態では、電子ペーパー端末１には、ＰＣ２により生成された画像データが格納され、画像データに基づく画像が表示部１３に表示された。しかしながら、電子ペーパー端末１のメモリ１２に格納される画像データは、ＰＣ２により生成された画像データに限定されるものではなく、ＭＦＰ（Ｍｕｌｔｉ−Ｆｕｎｃｔｉｏｎ  Ｐｅｒｉｐｈｅｒａｌ）等の画像形成装置により生成された画像データや、インターネット等を通じてダウンロードされた画像データであってもよい。また、電子ペーパー端末１のメモリ１２に格納される文書データは、画像データに限定されるものではなく、ＰＤＦ（Ｐｏｒｔａｂｌｅ  Ｄｏｃｕｍｅｎｔ  Ｆｏｒｍａｔ）やＷｏｒｄファイルが格納され、これらのデータに基づく画像が表示部１３に表示されてもよい。
【００８３】
また、上述した実施形態では、表示対象ページに機密情報が含まれていると判断する場合、電子ペーパー端末１は、表示対象ページの画像を残像表示した。しかしながら、表示対象ページに機密情報が含まれていると判断した場合であっても電子ペーパー端末１が表示対象ページの画像を通常表示するように、ユーザーが電子ペーパー端末１の動作を変更可能に構成してもよい。このような構成によれば、機密情報を残像表示する必要のない環境でユーザーが電子ペーパー端末１を使用する場合に対応することができる。
【００８４】
また、上述した実施形態では、画像データに所定のコードや文字列が含まれている場合、画像が残像表示された。しかしながら、たとえば、ユーザー操作により、表示対象ページが機密情報を含む旨が入力された場合、当該ページの画像が残像表示されてもよい。
【００８５】
上述した実施形態に係る電子ペーパー端末における各種処理を行う手段および方法は、専用のハードウエア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＥＥＰＲＯＭ等のメモリに転送され記憶される。また、上記プログラムは、単独のアプリケーションソフトとして提供されてもよいし、電子ペーパー端末の一機能としてその装置のソフトウエアに組み込まれてもよい。
【符号の説明】
【００８６】
１  電子ペーパー端末、
２  ＰＣ、
３  ネットワーク、
１１  ＣＰＵ、
１２  メモリ、
１３  表示部、
１４  操作部、
１５  電源部、
１６  通信部、
１７  バス、
１２１  システム制御部、
１２２  表示処理部、
１２３  電源状態監視部。
【図１】
2014157294.tif 000003
【図２】
2014157294.tif 000004
【図３】
2014157294.tif 000005
【図４】
2014157294.tif 000006
【図５】
2014157294.tif 000007
【図６】
2014157294.tif 000008
【図７】
2014157294.tif 000009
【図８】
2014157294.tif 000010
【図９】
2014157294.tif 000011
【図１０】
2014157294.tif 000012